(57)【要約】【課題】綴じ込まれたシート状物をスムーズにめくることが可能なファイル用綴じ具を提供する。【解決手段】背板１１１、背板１１１の一側端に起立及び傾倒自在に接続された第１側板１１２、及び背板１１１の他の側端に起立状態で固定若しくは起立及び傾倒自在に接続された第２側板１１３を含むホルダ１１０と、第１側板１１２に取り付けられた基端と第２側板１１３に着脱可能に係止される先端とをそれぞれ有しシート状物の綴じ孔に挿通される複数のピン１２０と、を備えた綴じ具１００において、ピン１２０の中間部を、ピン１２０の先端を第２側板１１３に係止させた状態において背板１１１から離間する方向に湾曲させる。【選択図】図１
0003208914.tif 000002
【実用新案登録請求の範囲】
【請求項１】
a)背板、該背板の一側端に起立及び傾倒自在に接続された第１側板、及び前記背板の他の側端に起立状態で固定若しくは起立及び傾倒自在に接続された第２側板を含むホルダと、
b)綴じ込み対象となるシート状物の綴じ孔に挿通されるピンであって、前記第１側板に取り付けられた基端と、前記第２側板に着脱可能に係止される先端とをそれぞれ有する複数のピンと、
を備え、
前記ピンの中間部が、該ピンの先端を前記第２側板に係止させた状態において前記背板から離間する方向に湾曲していることを特徴とする綴じ具。
【請求項２】
前記ピンが、前記第１側板に対し、該第１側板の長手方向と平行な軸周りに回動自在に取り付けられていることを特徴とする請求項１に記載の綴じ具。
【請求項３】
更に、
c)前記第１側板の前記背板と接続されている側と逆側の端縁に、折り曲げ可能な直線状の肉薄部を介して連接されたピン立設板、
を有し、
前記背板に対して第１側板を起立させると共に、前記ピン立設板を前記背板の側に倒すようにして前記肉薄部を折り曲げることにより前記第１側板と前記ピン立設板を対向させた際に前記第１側板に対向する面と逆側に位置する面である、前記ピン立設板の裏面に、前記複数のピンが立設されていることを特徴とする請求項１又は２に記載の綴じ具。
【請求項４】
a)請求項１〜３のいずれかに記載の綴じ具と、
b)表紙、裏表紙、及び両者を連結する背表紙を備えたカバーと、
c)一辺に前記ピンが挿通される複数の綴じ孔を有し、前記綴じ具によって綴じられるシート状物と、
を備え、
前記綴じ具が前記背表紙の内面に固定されて成ることを特徴とするファイル。
【請求項５】
前記複数の綴じ孔が、それぞれ前記一辺と直交する方向に延伸する長孔であることを特徴とする請求項４に記載のファイル。
【考案の詳細な説明】
【技術分野】
【０００１】
本考案は、カーペットやカーテンの見本が保持された台紙などのシート状物を綴じるための綴じ具、及び該綴じ具を備えたファイルに関する。
【背景技術】
【０００２】
上記のような綴じ具として特許文献１に記載のものがある。同文献に記載のファイル用綴じ具は、全体がプラスチックから成るものであって、シート状物の綴じ孔に挿通される複数のピンと、それらを保持するホルダとを含んでいる。ホルダは、背板（一般には略矩形状のもの）、背板の一側端に立設・固定された側板である固定板、及び背板の他の側端に起立／傾倒自在に接続された側板である可動板を含んでいる。可動板には前記複数のピンの基端をそれぞれ取り付けるための複数のピン挿通孔が設けられている。一方、固定板には、前記複数のピンの先端をそれぞれ挿入・保持するための複数の切れ込みが形成されている。この切れ込みは、固定板の上端（背板から遠い方の側端）に入口を有し、その側板の内部へＬ字状に延伸するように形成されている。また、固定板の上端の両コーナーには、略Ｕ字形の断面形状を有する長尺状の係止部材が軸を介して取り付けられている。係止部材は前記軸を中心として回動させることにより、固定板の上端に着脱自在であり、更に各係止部材の下端には前記Ｌ字状の切れ込みに対応する切り欠きが設けられている。
【０００３】
前記綴じ具は、プラスチック製又は板紙性のシートを折り曲げることにより構成されたカバーに取り付けられ、ファイルとして使用される。
このファイルにシート状物を綴じ込む作業は、
（１）綴じ具の可動板にピンを取り付け、その可動板を倒すことにより全てのピンを直立させ、
（２）綴じ孔の位置が揃うように積み重ねたシート状物の束を直立したピンに上方から接近させ、各シート状物の綴じ孔にピンを一度に挿通させ、
（３）係止部材を固定板上で起立させた状態で、背板と可動板との線状の接続部を支点（中心）として背板を立ち上げ、
（４）固定板の切れ込みの入口にピンの先端を入れ、更にそれを切れ込みの奥まで押し込み、係止部材を回動させて固定板の上端に装着する
という手順を踏んで行われる。
係止部材を固定板の上端に装着することにより、係止部材の切り欠きが、ピンの先端部を押さえ付けるような形で保持するため、ピンの先端部が切り込み内を逆進して固定板から抜けてしまうといったことが確実に防止される。
【先行技術文献】
【特許文献】
【０００４】
【特許文献１】特許第4146330号公報
【特許文献２】特開2001-213081号公報
【考案の概要】
【考案が解決しようとする課題】
【０００５】
上記のように、特許文献１に記載のファイル用綴じ具は、簡単にシート状物を綴じ込むことができ、且つシート状物の綴じ込み後にホルダに取り付けたピンがシート状物の束の重み等によりホルダから容易に外れないように工夫されている。しかしながら、こうしたファイル用綴じ具を備えたファイルにカーペットやカーテンの見本を貼付した厚くて重いシート状物を多数綴じた場合、該ファイル（見本帳）を閲覧しようとするユーザが、シート状物をスムーズにめくるのが難しい場合があった。
【０００６】
本考案は上記の点に鑑みて成されたものであり、その目的とするところは、厚くて重いシート状物を多数綴じた場合でも該シート状物をスムーズにめくることが可能な綴じ具及び該綴じ具を備えたファイルを提供することにある。
【課題を解決するための手段】
【０００７】
上記課題を解決するために成された本考案に係る綴じ具は、
a)背板、該背板の一側端に起立及び傾倒自在に接続された第１側板、及び前記背板の他の側端に起立状態で固定若しくは起立及び傾倒自在に接続された第２側板を含むホルダと、
b)綴じ込み対象となるシート状物の綴じ孔に挿通されるピンであって、前記第１側板に取り付けられた基端と、前記第２側板に着脱可能に係止される先端とをそれぞれ有する複数のピンと、
を備え、
前記ピンの中間部が、該ピンの先端を前記第２側板に係止させた状態において前記背板から離間する方向に湾曲していることを特徴としている。
【０００８】
上記綴じ具によれば、ピンの中間部が湾曲した形状となっているため、綴じ具に綴じられたシート状物をスムーズにめくることが可能となる。
【０００９】
なお、特許文献１に記載のファイル用綴じ具は、ホルダに設けられたピン挿通孔にピンの基端を挿通して固定するものであるため、該綴じ具が取り付けられたファイルの輸送時や保管時には、ピンをホルダから分離させ、ファイル及びホルダをフラットに広げてコンパクトな状態にできる反面、製造時にピンをホルダに取り付ける手間が掛かると共に、部品点数が多くなり製造コストの増大や部品管理の手間が掛かるという短所があった。また、ピンをホルダに直接立設して成る綴じ具も存在するが、こうした綴じ具では、ホルダとファイルをフラットに広げた際に、ホルダ上でピンが起立した状態となるため、輸送時や保管時にスペースを取るという短所があった。
【００１０】
そこで、本考案に係る綴じ具は、前記ピンが、前記第１側板に対し、該第１側板の長手方向と平行な軸周りに回動自在に取り付けられたものとすることが望ましい。
【００１１】
このような構成から成る綴じ具は、不使用時にはホルダをフラットに広げると共にピンを寝かせた状態とすることができるため、保管時や輸送時に要するスペースを小さくすることができる。また、ピンがホルダに予め取り付けられているため、複数のピンを一つずつホルダに取り付ける手間を省くことができる。
【００１２】
本考案に係る綴じ具は、更に、
c)前記第１側板の前記背板と接続されている側と逆側の端縁に、折り曲げ可能な直線状の肉薄部を介して連接されたピン立設板、
を有し、
前記背板に対して第１側板を起立させると共に、前記ピン立設板を前記背板の側に倒すようにして前記肉薄部を折り曲げることにより前記第１側板と前記ピン立設板を対向させた際に前記第１側板に対向する面と逆側に位置する面である、前記ピン立設板の裏面に、前記複数のピンが立設されていることを特徴としている。
【００１３】
このような構成によれば、前記肉薄部を折り曲げることで複数のピンを一度に前記第１側板の長手方向と平行な軸周りに回動させることができるため、シート状物を綴じ具に綴じる際の作業が容易となる。また、複数のピンを第１側板と一体に成形することができるため、製造コスト及び部品管理の手間を抑えることができる。
【００１４】
また、上記課題を解決するために成された本考案に係るファイルは、
a)前記綴じ具と、
b)表紙、裏表紙、及び両者を連結する背表紙を備えたカバーと、
c)一辺に前記ピンが挿通される複数の綴じ孔を有し、前記綴じ具によって綴じられるシート状物と、
を備え、
前記綴じ具が前記背表紙の内面に固定されて成ることを特徴としている。
【００１５】
前記ファイルは、前記複数の綴じ孔が、それぞれ前記一辺と直交する方向に延伸する長孔であるものとすることが望ましい。
【００１６】
このような構成によればシート状物を一層めくりやすくなるという効果が得られる。
【考案の効果】
【００１７】
以上で説明した通り、本考案に係る綴じ具及びそれを備えたファイルによれば、厚くて重いシート状物を多数綴じた場合でも該シート状物をスムーズにめくることが可能となる。
【図面の簡単な説明】
【００１８】
【図１】本考案の一実施形態である綴じ具を備えたファイルの斜視図。
【図２】綴じ具の構造を示す側面図。
【図３】綴じ具のピンの先端を固定板に係合させた状態を示す側面図。
【図４】固定板に形成した切れ込みにピンを挿入する手順を示す図。
【図５】台紙の構造を示す図。
【図６】シートの綴じ込み作業の第１段階を示す図。
【図７】シートの綴じ込み作業の第２段階を示す図。
【図８】シートの綴じ込み作業の第３段階を示す図。
【図９】シートの綴じ込み作業の第４段階を示す図。
【図１０】シートの綴じ込み作業の第５段階を示す図。
【考案を実施するための形態】
【００１９】
以下、本考案を実施するための形態について実施例を挙げて説明を行う。
【実施例】
【００２０】
図１〜図５に本考案の一実施例によるファイル４００を示す。
本実施例に係るファイル４００は、カバー２００と、カバー２００の内側に取り付けられた綴じ具１００、及び綴じ具１００に綴じられるシート状の台紙３００（本考案における「シート状物」に相当）を備えている。
【００２１】
図１は本実施例のファイル４００におけるカバー２００と綴じ具１００を示す斜視図である。カバー２００は板紙又は厚手のプラスチックシートを折り曲げて成るものであり、表紙２０１、裏表紙２０３、及びそれらを連結する背表紙２０２を備え、背表紙２０２の内側に綴じ具１００が取り付けられる。
【００２２】
図２は、綴じ具１００の構造を示す図であり、綴じ具１００を図１の矢印Ａの方向から見た図に相当する。綴じ具１００は、合成樹脂から成り、台紙３００の綴じ孔３０１に挿通される４本のピン１２０とピン１２０を支持するホルダ１１０とを含んでいる。ホルダ１１０は、略矩形の背板１１１、背板１１１の一端に接続された可動板１１２（本考案における「第１側板」に相当）及び背板１１１の他端に立設・固定された固定板１１３（本考案における「第２側板」に相当）、及び可動板１１２の他端に接続されたピン立設板１１４を含んでいる。背板１１１の中央部には、重いファイルを楽に持ち運ぶことができるように把手を背板１１１に固定するための把手孔１１５が形成されている（なお、カバー２００にも把手孔１１５に対応する位置に孔が設けられている）。背板１１１の両側端は中央部よりも肉厚に形成されており、ここに背板固定孔１１６が形成されている。背板固定孔１１６はネジやリベット等で背板１１１をカバー２００の背表紙２０２部分に固定するために用いられる。
【００２３】
なお、以下の説明では、図２を基準として上下方向及び左右方向を定義する。また、背板１１１の、背表紙２０２と対向する側の面を背板１１１の裏面とし逆側の面を表面とする。更に、可動板１１２及びピン立設板１１４における、背板１１１の表面と連続する面をそれぞれ可動板１１２の表面及びピン立設板１１４の表面とよび、それらの逆側の面、すなわち背板１１１の裏面と連続する面をそれぞれ可動板１１２の裏面及びピン立設板１１４の裏面とよぶ。
【００２４】
可動板１１２は直線状の第１肉薄部１１１ａを介して背板１１１に接続されており、第１肉薄部１１１ａを中心として起立／傾倒自在である。
【００２５】
また、ピン立設板１１４は直線状の第２肉薄部１１２ａを介して可動板１１２に接続されており、第２肉薄部１１２ａを中心として起立／傾倒自在である。前記４本のピン１２０はこのピン立設板１１４の裏面に立設されている。
【００２６】
固定板１１３には前記４本のピン１２０に対応する位置にＬ字状の切れ込み１１７が４カ所形成されている。固定板１１３の上端の両コーナーには、略Ｕ字状の断面を有する長尺状の係止部材１３０が軸１３１を介して取り付けられている。係止部材１３０は、軸１３１を中心としてこれを回動させることにより、固定板１１３の上端に着脱自在である。各係止部材１３０の下端には前記Ｌ字状の切れ込み１１７に対応する切り欠き１３２が２箇所に設けられている。
【００２７】
ピン１２０は、いずれも下方に向かって湾曲した略円柱状の軸１２１を有し、その一端（基端側）がピン立設板１１４の裏面に固定され、他端（先端側）の周面には環状凹部１２２が形成されている。ピン１２０の先端と基端を結ぶ直線は、ピン立設板１１４と略直交しており、該直線の環状凹部１２２からピンの基端までの長さは背板１１１の幅と略等しくなっている。
【００２８】
ホルダ１１０は、上述した２つの肉薄部１１１ａ、１１２ａで折り曲げることができ、第２肉薄部１１２ａを折り曲げてピン立設板１１４の表面を可動板１１２の表面と対向させると共に、第１肉薄部１１１ａを折り曲げて可動板１１２を起立させることにより、ピン１２０の先端に設けられた環状凹部を固定板１１３に形成された切れ込み１１７に挿入することができる。このときの綴じ具１００の様子を図３に示す（同図では係止部材１３０の図示を省略している）。
【００２９】
図４は固定板１１３に形成した切れ込み１１７の側面図（図１の矢印Ｂの方向から見た図）である。切れ込み１１７は、固定板１１３の上端の入口１１８から下方に延伸するガイド部１１７ａ及びガイド部１１７ａの下端から略水平に延伸する保持部１１７ｂから成る。入口１１８は、上述のように第２肉薄部１１２ａを折り曲げてピン立設板１１４の表面を可動板１１２の表面と対向させると共に、第１肉薄部１１１ａを折り曲げて可動板１１２を起立させた際におけるピン１２０の位置（図４（ａ）で破線で示した位置）からずれた位置に設けられている。ガイド部１１７ａの幅は環状凹部１２２における軸１２１の外径と略等しいか、それより僅かに大きい。
【００３０】
図５は本実施例に係るファイル４００における台紙３００を示す平面図である。台紙３００は、例えばカーペットやカーテンなどの生地見本を保持するものであり、その表面に前記生地見本を直接貼り付けたり、該表面に設けられたポケットに前記生地見本が収容されたりするものである。台紙３００は、カバー２００の表紙２０１及び裏表紙２０３の寸法よりも僅かに小さい寸法を有する矩形の板紙又はプラスチックシートから成り、その一辺には、綴じ具１００のピン１２０と同一間隔で４つの綴じ孔３０１が設けられている。ここで、これら４つの綴じ孔３０１の配列方向における各綴じ孔３０１の寸法を幅とよび、それに直交する方向における各綴じ孔３０１の寸法を長さとよぶ。本実施例のファイル４００における台紙では、各綴じ孔３０１が、その幅よりも長さの方が大きい、いわゆる長孔となっている。
【００３１】
前記生地見本を保持した複数枚の台紙を綴じ具に綴じ込む際の作業手順について図６〜図１０を参照しながら説明する。この作業により、本実施例に係るファイル４００は、カーペットやカーテンなどの見本帳となる。
【００３２】
図６〜図１０は綴じ込み作業の５つの段階を示すもので、それぞれ上段は綴じ具１００及び台紙３００の平面図、下段は側面図（図１の矢印Ａの方向から見た図）である。なお、これらの図では、簡略化のためカバー２００の図示を省略している。
【００３３】
台紙３００の綴じ込み作業は次のような手順で行われる。
まず、図６下段の矢印に示すように、第２肉薄部１１２ａを中心にピン立設板１１４を回動させることにより、ピン立設板１１４の表面を可動板１１２の表面と対向させる（図７）。これにより、ピン１２０が起立した状態となるので、これらのピン１２０をそれぞれ四隅を揃えて積み重ねた台紙３００の綴じ孔３０１に挿通する（図８）。次に、係止部材１３０を固定板１１３上で起立させた状態で、図８下段の矢印に示すように、第１肉薄部１１１ａを中心として背板１１１を起立させる（図９）。背板１１１を起立させると、各ピン１２０の先端部１２０ａは図４（ａ）の破線に示したような位置で固定板１１３の上端に接触する。次に、図４（ｂ）に示したように切れ込み１１７の入口１１８にピン１２０の先端部１２０ａを入れ、更にそれを保持部１１７ｂの奥まで押し込む（図４（ｃ））。そして、軸１３１を中心にして係止部材１３０を回動させ、固定板１１３の上端に装着すると、係止部材１３０の切り欠き１３２がピン１２０の先端部１２０ａを押さえ付けるような形で保持する（図１０）。これにより、ピン１２０の先端部１２０ａが保持部１１７ｂ内を逆進して切れ込み１１７から抜けてしまうといったことが確実に防止される。
これで綴じ込み作業が完了し、見本帳が完成する。
【００３４】
従来のファイルを用いた見本帳では、綴じ具のピンが直線状であったため、該見本帳を閲覧する際には、台紙の上辺（綴じ具から遠い側の辺）を弧を描くように回動させると同時に台紙の下辺（綴じ具に近い側の辺）をピンに沿って直線移動させる必要があり、スムーズに台紙をめくるのが難しい場合があった。これに対し、本実施例に係るファイル４００を用いた見本帳では、綴じ具１００のピン１２０が湾曲しているため、台紙３００の上辺を弧を描くように回動させれば、それに伴って台紙３００の下辺がピン１２０に沿って弧を描くように移動するため、台紙を常にスムーズにめくることが可能である。
【００３５】
また、台紙３００の綴じ孔３０１を長孔としたことにより、上記のようにピン１２０が湾曲していても台紙３００をめくる際に綴じ孔３０１の周縁にピン１２０が引っかかることなく、よりスムーズに台紙３００をめくることができる。
【００３６】
更に、本実施例では、綴じ具１００のピン１２０がホルダ１１０と一体に成形されているため、ピン１２０がホルダ１１０と別体に成形されている場合に比べて安価に製造することができると共に、ホルダ１１０にピン１２０を一本ずつ取り付ける手間を省くことができる。
【００３７】
また、本実施例では、ピン１２０がピン立設板１１４の裏面に取り付けられていると共に、ピン立設板１１４及び可動板１１２を第１肉薄部１１１ａ及び第２肉薄部１１２ａを中心に回動させることができるため、ファイル４００に台紙３００を綴じていない状態（ファイル４００の不使用時）には、カバー２００をフラットに広げると共に、図６に示すように、綴じ具１００の可動板１１２を倒し、更にピン立設板１１４を可動板１１２に対して略垂直な状態とすることでピンを寝かせた状態とすることができる。そのため、スペースを取ることなく保管や搬送を行うことが可能となる。
【００３８】
以上、実施例を挙げて本考案を実施するための形態について説明を行ったが、本考案は上記実施例に限定されるものではなく、本考案の趣旨の範囲で適宜変更が許容される。
例えば、上記実施例では、第２側板を背板に対して略垂直な状態で固定されたもの（すなわち固定板１１３）としたが、これに限らず、第１側板（可動板１１２）と同様に、第２側板を背板に対して起立及び傾倒自在なものとしてもよい。
【００３９】
また、上記の例ではピン１２０をホルダ１１０と一体に成形するものとしたが、両者を別体に成形したものとしてもよい。この場合、ホルダ１１０にはピン立設板１１４及び第２肉薄部１１２ａは設けず、可動板１１２とピン１２０の基端部とをヒンジで接続することで、ピン１２０を可動板１１２に対して起立及び傾倒自在なものとしたり、可動板１１２に設けたピン挿通孔にピン１２０の基端を挿通して固定する構成とすることもできる。
【００４０】
また、ホルダ１１０にピン立設板１１４と第２肉薄部１１２ａを設けず、可動板１１２の表面にピン１２０を直接立設した構成とすることもできる。
【００４１】
上記のように可動板１１２に設けたピン挿通孔にピン１２０を挿通・固定する構成や、可動板１１２にピン１２０を直接立設した構成とした場合は、不使用時にピン１２０を寝かせることはできないが、構造が単純になるため、より安価に製造できるというメリットがある。
【００４２】
また、上記実施例では本考案に係る綴じ具１００及びファイル４００にカーペット等の見本を保持させた台紙を綴じることで見本帳と成す例を示したが、これに限らず、本考案に係るファイル及び綴じ具はパンフレット等を綴じるものとすることもできる。
【００４３】
また更に、上記実施例では、係止部材１３０によりピン１２０の先端が固定板１１３（第２側板）から外れるのを防止する構成としたが、これに代えて、例えば、特許文献２に記載のように、第２側板の切れ込み１１７の内側面にピン１２０の先端が抜けるのを防止するための突起やツメなどの係止部を形成した構成としてもよい。
【符号の説明】
【００４４】
１００…綴じ具
１１０…ホルダ
１１１…背板
１１１ａ…第１肉薄部
１１２…可動板
１１２ａ…第２肉薄部
１１３…固定板
１１４…ピン立設板
１１７…切れ込み
１２０…ピン
１２１…軸
１２２…環状凹部
１３０…係止部材
２００…カバー
２０２…背表紙
３００…台紙
３０１…綴じ孔
４００…ファイル
【図１】
0003208914.tif 000003
【図２】
0003208914.tif 000004
【図３】
0003208914.tif 000005
【図４】
0003208914.tif 000006
【図５】
0003208914.tif 000007
【図６】
0003208914.tif 000008
【図７】
0003208914.tif 000009
【図８】
0003208914.tif 000010
【図９】
0003208914.tif 000011
【図１０】
0003208914.tif 000012